(57)【要約】      （修正有）【課題】操作部材の回転操作に応じた操作感が確実に得られ、かつ小型化が図れる回転操作装置およびそれを備えた時計を提供する。【解決手段】腕時計ケース１の外部に位置する頭部１６および頭部１６に連設されて腕時計ケース１の円筒部材１５内に挿入された軸部１７を備えた操作部材１２と、操作部材１２と共に回転する駆動歯車１３と、駆動歯車１３によって腕時計ケース１の内部で回転移動する内転リング１１と、第１凹凸部が設けられた固定車２９と、操作部材１２と共に回転して第１凹凸部に噛み合う第２凹凸部を備えた可動車２８と、操作部材１２を腕時計ケース１の内部側に向けて付勢する弾性部材２７と、を備え、操作部材１２を回転させた際に、弾性部材２７の付勢力に抗して第１凹凸部と第２凹凸部との噛み合いがずれると同時に、操作部材１２が可動車２８と共に軸方向にスライドする。【選択図】図２
2018197718.tif 000002
【特許請求の範囲】
【請求項１】
ケースの貫通孔に固定された円筒部材と、
前記ケースの外部に位置する頭部および前記頭部に連設されて前記円筒部材内に挿入された軸部を備えた操作部材と、
前記ケースの内部に位置する前記操作部材の前記軸部の端部に取り付けられて前記操作部材と共に回転する連結部と、
前記円筒部材内に固定され、軸方向の一面に第１の凹凸部が設けられた固定車と、
前記円筒部材内に配置されて前記操作部材と共に回転し、かつ前記固定車の前記第１の凹凸部に噛み合う第２の凹凸部を備えた可動車と、
前記操作部材を前記ケースの内部側に向けて付勢して前記固定車の前記第１の凹凸部に前記可動車の前記第２の凹凸部を弾力的に噛み合わせる付勢部材と、
を備えていることを特徴とする回転操作装置。
【請求項２】
請求項１に記載の回転操作装置において、前記付勢部材は、リング状の弾性部材であって、前記弾性部材の内径は、前記軸部の外径とほぼ同じ又は前記軸部の外径よりも大きいことを特徴とする回転操作装置。
【請求項３】
請求項１または請求項２に記載の回転操作装置において、前記付勢部材は、前記連結部と前記円筒部材の内端部との間に位置する前記操作部材の前記軸部の外周に配置されて、前記連結部と前記円筒部材の内端部とを押し広げる方向に付勢することを特徴とする回転操作装置。
【請求項４】
請求項１〜請求項３のいずれかに記載の回転操作装置において、前記可動車は、前記操作部材の前記軸部にスライド可能に設けられ、ばね部材によって前記固定車に弾力的に押し付けられ、この状態で前記操作部材と共に回転しながら軸方向に移動し、
前記頭部を押圧して前記軸部をスライドすることで押釦スイッチとして機能することを特徴とする回転操作装置。
【請求項５】
請求項４に記載の回転操作装置において、前記ばね部材は、そのばね力が前記付勢部材の付勢力よりも小さく設定されていることを特徴とする回転操作装置。
【請求項６】
請求項１〜請求項３のいずれかに記載の回転操作装置において、前記可動車は、前記操作部材の前記軸部に固定され、この状態で前記操作部材と共に回転しながら軸方向に移動することを特徴とする回転操作装置。
【請求項７】
請求項１〜請求項６のいずれかに記載の回転操作装置において、前記固定車の前記第１の凹凸部と前記可動車の前記第２の凹凸部とは、前記連結部の回転角度と関連する角度で設けられていることを特徴とする回転操作装置。
【請求項８】
請求項１〜請求項７のいずれかに記載された回転操作装置を備えていることを特徴とする時計。
【発明の詳細な説明】
【技術分野】
【０００１】
この発明は、腕時計などの電子機器に用いられる回転操作装置およびそれを備えた時計に関する。
【背景技術】
【０００２】
例えば、腕時計においては、特許文献１に記載れているように、腕時計ケースの側部に操作部材を回転操作可能に設け、この操作部材の内端部に設けられた駆動歯車を腕時計ケース内に設けられた内転リングのラックに噛み合わせ、操作部材を回転操作させて駆動歯車を回転させた際に、その駆動歯車の回転に応じて内転リングが腕時計ケースの内周面に沿って回転移動するように構成された回転操作装置が知られている。
【先行技術文献】
【特許文献】
【０００３】
【特許文献１】特開２０１７−３２２８６号公報
【０００４】
このような回転操作装置は、腕時計ケースの貫通孔内に設けられた円筒部材内に固定車と可動車とを配置し、これら固定車と可動車との各軸孔を通して操作部材の軸部を円筒部材内に回転可能に配置し、この状態でコイルばねのばね力によって、円筒部材内に固定された固定車の第１凹凸部と円筒部材内にその軸方向にスライド可能に設けられた可動車の第２凹凸部とを弾力的に組み合わせた構造になっている。
【０００５】
このような回転操作装置は、操作部材を回転させて駆動歯車が内転リングを回転させる際に、可動車が操作部材と共に回転して、コイルばねのばね力に抗して固定車の第１凹凸部に対する可動車の第２凹凸部の噛み合いがずれることにより、操作部材の回転操作に応じた操作感が付与されるように構成されている。
【発明の概要】
【発明が解決しようとする課題】
【０００６】
しかしながら、このような腕時計の回転操作装置では、操作部材を回転させて固定車の第１凹凸部に対する可動車の第２凹凸部の噛み合いをずらす際に、操作部材の軸部と可動車の非円形状の挿入孔が噛み合い、可動車が操作部材に沿って軸方向にうまく移動しないことがあり、操作部材の回転操作に応じた操作感が操作部材に伝わり難く、十分な操作感が得られないという問題がある。
【０００７】
このような問題を解消するためには、固定車と可動車との外径を大きく形成して、固定車の第１凹凸部と可動車の第２凹凸部との噛み合い深さ、つまり凹凸部の凹凸形状の深さを大きくすること、操作部材の軸部と可動車の挿入孔との形状を大きくして、軸部と挿入孔とが噛み合わないようにすることにより、操作部材の回転操作に応じた操作感が十分に得られるように構成することが考えられている。しかしながら、このような構造では、固定車と可動車とが大きくなるため、装置全体が大型化するという問題が生じる。
【０００８】
この発明が解決しようとする課題は、操作部材の軸部と可動車の挿入孔とが噛み合っても操作部材の回転操作に応じた操作感を確実に得ることができ、かつ小型化を図ることができる回転操作装置およびそれを備えた時計を提供することである。
【課題を解決するための手段】
【０００９】
この発明は、ケースの貫通孔に固定された円筒部材と、前記ケースの外部に位置する頭部および前記頭部に連設されて前記円筒部材内に挿入された軸部を備えた操作部材と、前記ケースの内部に位置する前記操作部材の前記軸部の端部に取り付けられて前記操作部材と共に回転する連結部と、前記円筒部材内に固定され、軸方向の一面に第１の凹凸部が設けられた固定車と、前記円筒部材内に配置されて前記操作部材と共に回転し、かつ前記固定車の前記第１の凹凸部に噛み合う第２の凹凸部を備えた可動車と、前記操作部材を前記ケースの内部側に向けて付勢して前記固定車の前記第１の凹凸部に前記可動車の前記第２の凹凸部を弾力的に噛み合わせる付勢部材と、を備えていることを特徴とする回転操作装置である。
【発明の効果】
【００１０】
この発明によれば、操作部材を回転させる際に、付勢部材の付勢力に抗して固定車の第１の凹凸部と可動車の第２の凹凸部との噛み合いをずらすと同時に、操作部材を可動車と共に軸方向にスライドさせることができるので、操作部材の回転操作に応じた操作感を確実に得ることができると共に、装置全体の小型化を図ることができる。
【図面の簡単な説明】
【００１１】
【図１】この発明を腕時計に適用した第１実施形態において、一部を破断して示した拡大正面図である。
【図２】図１に示された腕時計のＡ−Ａ矢視における要部を示した拡大断面図である。
【図３】図２に示された回転操作装置の要部を断面で示した拡大斜視図である。
【図４】図３に示された回転操作装置の要部を分解して示した拡大斜視図である。
【図５】図２に示された回転操作装置における内転リングの回転表示板を示した拡大正面図である。
【図６】図３に示された可動車の第１凹凸部と固定車の第２凹凸部とを示し、（ａ）は固定車の第１凹凸部を示した拡大図、（ｂ）は可動車の第２凹凸部を示した拡大図である。
【図７】この発明を腕時計に適用した第２実施形態において、回転操作装置の要部を断面で示した拡大斜視図である。
【発明を実施するための形態】
【００１２】
（第１実施形態）
以下、図１〜図６を参照して、この発明を腕時計に適用した第１実施形態について説明する。
この腕時計は、図１に示すように、腕時計ケース１を備えている。この腕時計ケース１は、図２に示すように、上部側に位置する金属製の第１ケース２と下部側に位置する金属製の第２ケース３とで構成されている。
【００１３】
この腕時計ケース１の上部開口部、つまり第１ケース２の上部開口部には、図２に示すように、時計ガラス４がパッキン４ａを介して取り付けられている。この腕時計ケース１の下部、つまり第２ケース３の下部には、裏蓋５が防水リング５ａを介して取り付けられている。
【００１４】
また、この腕時計ケース１の内部には、図２に示すように、時計モジュール６が設けられている。この時計モジュール６は、図示しないが、時刻などの情報を表示する表示部や、指針の運針により時刻を指示する時計ムーブメントなどの時計機能に必要な各種の部品を備えている。
【００１５】
この時計モジュール６と時計ガラス４との間に位置する腕時計ケース１における第１ケース２の内周面には、図２に示すように、後述する内転リング１１を保持するガイド保持部７が設けられている。また、腕時計ケース１の３時側、４時側、および８時側に位置する各側部には、図１に示すように、スイッチ装置８がそれぞれ設けられており、この腕時計ケース１の２時側に位置する側部には、回転操作装置１０が設けられている。
【００１６】
この回転操作装置１０は、図１および図２に示すように、腕時計ケース１の２時側に位置する側部にその内外に突出した状態で回転操作可能に設けられた操作部材１２と、この操作部材１２の内端部に取り付けられた連結部である駆動歯車１３と、腕時計ケース１の第１ケース２の内周面に沿って回転する内転リング１１と、を備えている。
【００１７】
この場合、腕時計ケース１の２時側に位置する側部には、図２に示すように、貫通孔１ａが内部と外部とに貫通して設けられている。この貫通孔１ａ内には、円筒部材１５が腕時計ケース１の内部と外部とに突出して設けられている。この円筒部材１５は、貫通孔１ａ内に配置される小径筒部１５ａと、腕時計ケース１の外部に配置される大径筒部１５ｂと、を備えている。
【００１８】
この場合、小径筒部１５ａは、図２〜図４に示すように、その外径が貫通孔１ａの内径とほぼ同じ大きさに形成され、軸方向の長さが貫通孔１ａの軸方向の長さとほぼ同じ長さに形成されている。この小径筒部１５ａの内部には、小径の軸孔１５ｃが軸方向に貫通して設けられている。
【００１９】
また、大径筒部１５ｂは、図２〜図４に示すように、その外径が小径筒部１５ａの外径よりも大きく、第２ケース３の上下方向の長さ（高さ）よりも少し小さく形成され、その軸方向の長さが小径筒部１５ａとほぼ同じ長さに形成されている。この大径筒部１５ｂの内部には、その内径が小径筒部１５ａの外径よりも大きい大径の収納孔１５ｄが設けられている。
【００２０】
操作部材１２は、図１および図２に示すように、スイッチ操作を行うためのものであり、頭部１６と、この頭部１６に連設された軸部１７と、を備えている。頭部１６は、腕時計ケース１の外部に配置されている。軸部１７は、円筒部材１５の軸孔１５ｃおよび収納孔１５ｄに挿入されて腕時計ケース１の内部と外部とに突出し、この状態で円筒部材１５内に回転可能でかつスライド可能に取り付けられている。
【００２１】
この操作部材１２の頭部１６は、図２〜図４に示すように、その内径が円筒部材１５の大径筒部１５ｂの外径とほぼ同じか、それよりも少し大きい円筒状に形成されている。この頭部１６は、その内部における軸方向の長さが円筒部材１５の大径筒部１５ｂにおける軸方向の長さとほぼ同じ長さに形成されている。この場合、頭部１６は、円筒部材１５の大径筒部１５ｂの外周面に回転可能でかつスライド可能に配置されている。
【００２２】
また、この操作部材１２の軸部１７は、図２〜図４に示すように、ほぼ丸棒状に形成され、その外径が円筒部材１５の小径筒部１５ａにおける軸孔１５ｃの内径とほぼ同じ大きさに形成されている。この軸部１７の外周面には、円筒部材１５の小径筒部１５ａの内周面に弾接して摺動する複数の防水リング２０が設けられている。
【００２３】
また、この軸部１７における腕時計ケース１内に突出する内端部側（図２では左端部側）には、図２に示すように、駆動歯車１３がＥリングなどの抜止め部材２１によって取り付けられている。この抜止め部材２１は、操作部材１２の軸部１７の内端部（図２では左端部）に設けられた取付溝部１７ａに取り付けられて、駆動歯車１３が軸部１７から脱落するのを防ぐように構成されている。
【００２４】
駆動歯車１３は、図２〜図４に示すように、その中心部に非円形状であるほぼ四角形状の軸孔２２が設けられ、この軸孔２２に操作部材１２の軸部１７がスライド可能に嵌合するように構成されている。すなわち、駆動歯車１３の軸孔２２内に配置される箇所の軸部１７は、その外形が駆動歯車１３の軸孔２２と同じ非円形状であるほぼ四角形状に形成されている。
【００２５】
これにより、駆動歯車１３は、図２〜図４に示すように、軸部１７にスライド可能に取り付けられ、この状態で操作部材１２と共に一体的に回転すると共に、操作部材１２が押し出される際、また操作部材１２が押し込まれる際に、軸部１７の移動に対して相対的にスライドすることにより、常に同じ位置を維持するように構成されている。
【００２６】
この駆動歯車１３は、図２〜図４に示すように、その外周部に多数の歯部１３ａが等間隔で設けられ、この駆動歯車１３の上側に位置する歯部１３ａが腕時計ケース１内に設けられた内転リング１１の後述するラック２４に噛み合い、この状態で操作部材１２の回転操作に伴って操作部材１２と共に回転し、その回転に連動して内転リング１１を駆動歯車１３の回転方向と直交する方向である腕時計ケース１の内周面に沿って回転させるように構成されている。
【００２７】
一方、内転リング１１は、図２に示すように、時計ガラス４を通してその上方向から見る状態で、腕時計ケース１の内周面に沿って回転するように構成されている。すなわち、この内転リング１１は、腕時計ケース１の第１ケース２の内周面にその内部側に向けて突出して設けられたガイド保持部７によって回転移動可能に保持されている。
【００２８】
また、この内転リング１１は、図２に示すように、第１ケース２のガイド保持部７上に回転移動可能に配置されるリング状の回転体２５と、この回転体２５上に設けられた回転表示板２６と、回転体２５の下面に設けられて駆動歯車１３が噛み合うラック２４と、を備えている。回転体２５は、平板状のリング部２５ａと、このリング部２５ａの外周部に起立して設けられた外周部２５ｂと、を備えている。
【００２９】
この回転体２５は、図２に示すように、その外周部２５ｂの上端部が時計ガラス４の下面に接触または接近した状態で配置されている。また、この回転体２５は、その外周部２５ｂの外周面が第１ケース２の内周面に接近した状態で配置されている。これにより、回転体２５は、第１ケース２の内周面に沿って回転移動するように構成されている。
【００３０】
回転表示板２６は、図２に示すように、回転体２５のリング部２５ａ上に設けられている。この回転表示板２６は、その外周端が回転体２５の外周部２５ｂとほぼ同じ高さで、内周端が外周端よりも低く形成されている。これにより、回転表示板２６は、その上面が外周側から内周側に向けて次第に低くなる斜面２６ａに形成され、この斜面２６ａに、図５に示すように、方位（東西南北）を表す目盛マーク２６ｂが例えば１５度の角度で等間隔に表示された構成になっている。
【００３１】
ラック２４は、図２に示すように、駆動歯車１３の上部側に位置する歯部１３ａに対応する回転体２５の下面に、その下側つまり駆動歯車１３に向けて突出した状態で、回転体２５の円周方向に沿ってリング状に設けられている。このラック２４は、その円周方向に沿って多数の歯部が下側に突出して設けられ、これら多数の歯部に駆動歯車１３の上部側に位置する歯部１３ａが順次噛み合うことにより、回転体２５と共に回転移動するように構成されている。
【００３２】
この場合、第１ケース２のガイド保持部７には、図２および図３に示すように、内転リング１１のラック２４が回転移動可能に挿入するガイド溝１４が第１ケース２の内周面に沿ってリング状に形成されている。このガイド溝１４は、その内部にラック２４が回転移動可能に挿入されていることにより、ラック２４および回転体２５の径方向における位置を規制するように構成されている。
【００３３】
また、このガイド溝１４は、図２に示すように、腕時計ケース１の２時側に位置する箇所が下側に開放され、この開放された箇所に駆動歯車１３の上部側に位置する歯部１３ａが挿入されてラック２４に噛み合うように構成されている。また、ガイド保持部７は、その内周面が円形状に形成され、時計モジュール６の上部に設けられた文字板（図示せず）の外周縁を覆うように構成されている。
【００３４】
ところで、回転操作装置１０は、図２〜図４に示すように、前述した円筒部材１５、操作部材１２、駆動歯車１３、および内転リング１１のほかに、操作部材１２の軸部１７を腕時計ケース１内に向けて付勢する付勢部材であるリング状の弾性部材２７と、操作部材１２の軸部１７の中央部に配置された可動車２８と、円筒部材１５の大径筒部１５ｂ内に設けられた固定車２９と、この固定車２９に可動車２８を弾力的に押し付ける補助ばね部材３０と、を備えている。
【００３５】
弾性部材２７は、図２〜図４に示すように、ゴムなどの弾力性を有する材料でリング状に形成され、駆動歯車１３と円筒部材１５の内端部との間に位置する操作部材１２の軸部１７の外周にワッシャ２７ａを介して配置されている。すなわち、この弾性部材２７は、その内径が軸部１７の外径とほぼ同じ大きさで、外径が円筒部材１５の小径筒部１５ａの外径よりも大きく、かつ円筒部材１５の大径筒部１５ｂにおける収納孔１５ｄの内径よりも小さく形成されている。また、弾性部材２７の内径は、軸部１７の外径よりも大きければ良い。
【００３６】
ワッシャ２７ａは、図２〜図４に示すように、弾性部材２７と円筒部材１５の小径筒部１５ａの内端部との間に位置する操作部材１２の軸部１７の外周に配置されている。このワッシャ２７ａは、その内径が操作部材１２の軸部１７の外径と同じで、外径が円筒部材１５の小径筒部１５ａの外径よりも大きく、かつ弾性部材２７の外径とほぼ同じ大きさに形成されている。
【００３７】
これにより、弾性部材２７は、図２〜図４に示すように、それ自身の弾性力で駆動歯車１３と円筒部材１５の内端部とを押し広げる方向に付勢することにより、操作部材１２を腕時計ケース１の内部に向けて押し込むように構成されている。この場合、操作部材１２は、弾性部材２７の弾性力によって腕時計ケース１の内部に向けて押し込まれた際に、軸部１７の内端部が時計モジュール６のスイッチ接点６ａに接触せずに接近し、オフ状態を維持するように構成されている。
【００３８】
可動車２８は、図２〜図４に示すように、円板状に形成されている。この可動車２８は、その外径が円筒部材１５の大径筒部１５ｂにおける収納孔１５ｄの内径よりも少し小さく形成されている。また、この可動車２８の中心部には、操作部材１２の軸部１７が挿入する非円形状であるほぼ四角形状の挿入孔２８ａが設けられている。この場合、操作部材１２の軸部１７は、可動車２８の挿入孔２８ａに挿入する箇所の外形が、挿入孔２８ａと同じ非円形状であるほぼ四角形状に形成されている。
【００３９】
これにより、可動車２８は、図２〜図４に示すように、挿入孔２８ａに軸部１７が挿入することにより、軸部１７と共に一体的に回転すると共に、軸部１７に対してその軸方向に沿ってスライドするように構成されている。また、この可動車２８は、腕時計ケース１の内部側に位置する内面に第２凹凸部３２が放射状に設けられた構成になっている。
【００４０】
一方、固定車２９は、図２〜図４に示すように、可動車２８と同じ大きさの円板状に形成されている。この固定車２９は、その外径が可動車２８と同様、円筒部材１５の大径筒部１５ｂにおける収納孔１５ｄの内径よりも少し小さく形成されている。また、この固定車２９の中心部には、操作部材１２の軸部１７が回転自在に挿入する円形状の挿入孔２９ａが設けられている。
【００４１】
また、この固定車２９は、図２〜図４に示すように、腕時計ケース１の内部側に位置する内面に設けられた回転止め用の突起部２９ｂを備えている。この回転止め用の突起部２９ｂは、円筒部材１５の大径筒部１５ｂにおける内部の側面に設けられた回転止め用の凹部１５ｅに挿入することにより、円筒部材１５の大径筒部１５ｂ内で固定車２９が回転しないように構成されている。
【００４２】
さらに、この固定車２９は、図２〜図４に示すように、腕時計ケース１の外部側に位置する外面、つまり可動車２８に対面する外面に、第１凹凸部３１が放射状に設けられた構成になっている。この第１凹凸部３１は、可動車２８の第２凹凸部３２が係脱可能に噛み合うように構成されている。
【００４３】
補助ばね部材３０は、図２〜図４に示すように、コイルばねであり、頭部１６の内端面と可動車２８の外端面との間に位置する軸部１７の外周に配置され、この状態で外端部が頭部１６の内端面に弾接し、内端部が可動車２８の外端面に弾接するように構成されている。これにより、補助ばね部材３０は、可動車２８を固定車２９に押し付ける方向に付勢するように構成されている。
【００４４】
この場合、補助ばね部材３０は、図２〜図４に示すように、そのばね力が付勢部材である弾性部材２７の弾性力よりも小さく、例えば補助ばね部材３０のばね力と弾性部材２７の弾性力との比が１：２になるように設定されている。このため、操作部材１２は、通常状態のときに、補助ばね部材３０が可動車２８を固定車２９に弾力的に押し付けた状態で、弾性部材２７の弾性力によって腕時計ケース１の内部に向けて押し込まれるように構成されている。
【００４５】
また、この補助ばね部材３０は、図２〜図４に示すように、可動車２８を固定車２９に弾力的に押し付けた状態で、操作部材１２の頭部１６が回転操作されて、固定車２９の第１凹凸部３１と可動車２８の第２凹凸部３２との噛み合いがずれる際に、補助ばね部材３０のばね力をほぼ一定に保った状態で、操作部材１２と可動車２８と共に軸方向に移動するように構成されている。
【００４６】
さらに、この補助ばね部材３０は、図２〜図４に示すように、可動車２８を固定車２９に弾力的に押し付けた通常状態で、操作部材１２の頭部１６が押圧操作された際に、固定車２９に押し当てられた可動車２８と頭部１６との間で圧縮されることにより、操作部材１２の軸部１７が腕時計ケース１の内部に向けてスライドし、このスライドした軸部１７の内端部が時計モジュール６のスイッチ接点６ａを押圧してオン状態にするように構成されている。
【００４７】
ところで、駆動歯車１３と内転リング１１のラック２４とは、図２に示すように、操作部材１２の頭部１６の回転角度と内転リング１１の回転角度とが同じ回転角度になるように構成されている。すなわち、これら駆動歯車１３と内転リング１１のラック２４とは、操作部材１２の頭部１６を１回転させて駆動歯車１３を１回転させた際に、内転リング１１が１回転するように構成されている。
【００４８】
例えば、駆動歯車１３と内転リング１１のラック２４とは、図２および図５に示すように、操作部材１２の頭部１６を１５度回転させた際に、駆動歯車１３が１５度回転し、この駆動歯車１３の回転に伴って内転リング１１が１５度回転し、この内転リング１１の回転表示板２６の目盛マーク２６ｂが１目盛ずれるように構成されている。
【００４９】
これに伴って、固定車２９の第１凹凸部３１と可動車２８の第２凹凸部３２とは、図４および図６に示すように、操作部材１２の頭部１６を１５度回転させた際に、固定車２９に対して可動車２８が１５度回転して、第１凹凸部３１と第２凹凸部３２とが係脱可能に噛み合うことにより、内転リング１１の回転表示板２６が目盛マーク２６ｂの１目盛分ずれるように構成されている。
【００５０】
すなわち、固定車２９の第１凹凸部３１は、図６（ａ）に示すように、複数の溝部３１ａと複数の山部３１ｂとを有し、これらが固定車２９の外側面の全面に亘って１５度の角度間隔で放射状に交互に配列されている。同様に、可動車２８の第２凹凸部３２は、図６（ｂ）に示すように、複数の溝部３２ａと複数の山部３２ｂとを有し、これらが可動車２８の内側面の全面に亘って１５度の角度間隔で放射状に交互に配列されている。
【００５１】
これにより、固定車２９の第１凹凸部３１と可動車２８の第２凹凸部３２とは、図２に示すように、補助ばね部材３０のばね力によって互いに押し付けられた際に、図６（ａ）および図６（ｂ）に示すように、第２凹凸部３２の山部３２ｂが第１凹凸部３１の溝部３１ａに係合すると共に、第１凹凸部３１の山部３１ｂが第２凹凸部３２の溝部３２ａに係合するように構成されている。
【００５２】
また、これら第１凹凸部３１と第２凹凸部３２とは、図６（ａ）および図６（ｂ）に示すように、可動車２８が操作部材１２と共に回転する際に、弾性部材２７の弾性力に抗して第２凹凸部３２の山部３２ｂが第１凹凸部３１の山部３１ｂを乗り越えて隣接する第１凹凸部３１の溝部３１ａに係合すると共に、第１凹凸部３１の山部３１ｂが第２凹凸部３２の山部３２ｂを相対的に乗り越えて隣接する第２凹凸部３２の溝部３２ａに係合するように構成されている。
【００５３】
この場合、第１凹凸部３１と第２凹凸部３２とは、図２および図６に示すように、可動車２８が操作部材１２と共に回転して、第２凹凸部３２の山部３２ｂが第１凹凸部３１の山部３１ｂを乗り越えて隣接する溝部３１ａに係合すると共に、第１凹凸部３１の山部３１ｂが第２凹凸部３２の山部３２ｂを相対的に乗り越えて隣接する溝部３２ａに係合する際に、補助ばね部材３０がほぼ一定のばね力を保った状態で、ばね力がほとんど変化せずに、弾性部材２７の弾性力によってクリック感を操作部材１２に操作感として付与するように構成されている。
【００５４】
すなわち、操作部材１２は、図２〜図４、図６に示すように、弾性部材２７の弾性力に抗して頭部１６を回転させて、第１凹凸部３１と第２凹凸部３２との各山部３１ｂ、３２ｂが第２凹凸部３２と第１凹凸部３１との各山部３２ｂ、３１ｂを乗り越えるときに、弾性部材２７を圧縮変形させて腕時計ケース１の外部に向けて押し出される方向に可動車２８と補助ばね部材３０と共にスライドするように構成されている。
【００５５】
このため、操作部材１２は、図２〜図４、図６に示すように、弾性部材２７が圧縮変形する際に、腕時計ケース１の外部に向けて押し出される方向に可動車２８と補助ばね部材３０と共にスライドするので、補助ばね部材３０がほぼ一定のばね力を保った状態で、ばね力がほとんど変化せずに、弾性部材２７の圧縮変形によって頭部１６の回転力が重くなるように構成されている。
【００５６】
また、この操作部材１２は、図２〜図４、図６に示すように、第２凹凸部３２と第１凹凸部３１との各山部３１ｂ、３２ｂが第１凹凸部３１と第２凹凸部３２との各山部３２ｂ、３１ｂを乗り越えて隣接する溝部３２ａ、３１ａに係合するときに、圧縮された弾性部材２７が膨張するように弾性復帰して腕時計ケース１の内部に向けて押し込む方向に可動車２８と補助ばね部材３０と共にスライドするように構成されている。
【００５７】
このため、この操作部材１２は、図２〜図４、図６に示すように、圧縮された弾性部材２７が膨張するように弾性復帰する際に、腕時計ケース１の内部に向けて押し込む方向に可動車２８と補助ばね部材３０と共にスライドするので、補助ばね部材３０がほぼ一定のばね力を保った状態で、ばね力がほとんど変化せずに、弾性部材２７の膨張する弾性変形によって頭部１６の回転力が急激に軽くなることにより、クリック感が操作感として付与されるように構成されている。
【００５８】
これにより、この回転操作装置１０は、図２〜図６に示すように、操作部材１２の頭部１６を回転させて内転リング１１を回転させる際に、頭部１６を１５度回転させて駆動歯車１３を１５度回転させると、これに伴って内転リング１１が１５度回転し、この内転リング１１の回転表示板２６が目盛マーク２６ｂの１目盛だけ回転し、目盛マーク２６ｂが１目盛ずれると共に、この目盛マーク２６ｂが１目盛ずれる毎にクリック感が操作部材１２に操作感として付与されるように構成されている。
【００５９】
また、この回転操作装置１０は、図２に示すように、通常状態のときに、補助ばね部材３０が可動車２８を固定車２９に押し付けた状態で、弾性部材２７の弾性力によって操作部材１２の軸部１７が腕時計ケース１の内部に向けて押し込まれ、この軸部１７の内端部が時計モジュール６のスイッチ接点６ａに接触せずに接近し、スイッチ接点６ａをオフ状態にするように構成されている。
【００６０】
また、この回転操作装置１０は、図２に示すように、軸部１７の内端部が時計モジュール６のスイッチ接点６ａに接近した通常状態のときに、操作部材１２の頭部１６が補助ばね部材３０のばね力に抗して腕時計ケース１の内部に向けて押し込まれると、操作部材１２の軸部１７がスライドして、軸部１７の内端部が時計モジュール６のスイッチ接点６ａを押圧してオン状態にするように構成されている。
【００６１】
次に、この腕時計における回転操作装置１０の作用について説明する。
通常は、図２に示すように、操作部材１２の軸部１７に取り付けられた駆動歯車１３が腕時計ケース１内の内転リング１１のラック２４に噛み合っている。また、この状態では、腕時計ケース１の貫通孔１ａ内に固定された円筒部材１５内に回転可能でかつスライド可能に設けられた操作部材１２が、弾性部材２７の弾性力によって腕時計ケース１の内部に向けて押し込まれる方向に付勢されている。
【００６２】
また、このときには、補助ばね部材３０のばね力によって可動車２８が固定車２９に押し付けられることにより、可動車２８の第２凹凸部３２と固定車２９の第１凹凸部３１とが噛み合った状態で、操作部材１２が通常の初期位置に押し出されている。この状態では、操作部材１２の軸部１７の内端部が腕時計ケース１内に配置された時計モジュール６のスイッチ接点６ａに接触せずに接近した位置に配置される。これにより、時計モジュール６のスイッチがオフ状態を維持する。
【００６３】
このような状態で、腕時計ケース１内の内転リング１１を回転させて、内転リング１１の回転表示板２６に表示された方位の目盛マーク２６ｂを選択して指定する場合には、弾性部材２７の弾性力に抗して、操作部材１２の頭部１６を回転操作する。すると、操作部材１２の軸部１７が回転し、この軸部１７の回転に伴って駆動歯車１３が回転し、この駆動歯車１３の回転に応じて内転リング１１が腕時計ケース１の内周面に沿って回転移動する。
【００６４】
すなわち、駆動歯車１３の上部側に位置する歯部１３ａが腕時計ケース１内の内転リング１１のラック２４に噛み合っているので、操作部材１２の軸部１７が回転すると、その軸部１７の回転と共に駆動歯車１３が回転し、この駆動歯車１３の回転に伴って内転リング１１が腕時計ケース１の内周面に沿って回転移動する。
【００６５】
この場合には、図２に示すように、内転リング１１の回転体２５が腕時計ケース１のガイド保持部７上に回転移動可能に配置され、ラック２４がガイド保持部７のガイド溝１４内に回転移動可能に配置されているので、内転リング１１の回転体２５およびラック２４の径方向の位置が規制されている。このため、内転リング１１の回転体２５およびラック２４は、その径方向におけるガタつきや遊びが小さく抑えられているので、内転リング１１が腕時計ケース１の内周面に沿って円滑に回転移動する。
【００６６】
このように、操作部材１２の頭部１６が回転する際には、固定車２９が円筒部材１５の大径筒部１５ｂ内に固定された状態で、可動車２８が操作部材１２の軸部１７と共に回転する。このとき、操作部材１２の頭部１６が１５度回転すると、可動車２８が弾性部材２７の弾性力に抗して操作部材１２と共にその軸方向にスライドして、可動車２８の第２凹凸部３２の山部３２ｂが固定車２９の第１凹凸部３１の山部３１ｂを乗り越える。
【００６７】
すなわち、操作部材１２の頭部１６が１５度回転すると、弾性部材２７の弾性力に抗して操作部材１２が可動車２８と共に軸方向にスライドしながら回転し、可動車２８の第２凹凸部３２と固定車２９の第１凹凸部３１との噛み合いが外れる。このときには、弾性部材２７の弾性力に抗して操作部材１２が可動車２８と共に軸方向にスライドしながら回転すると共に、補助ばね部材３０も同方向に移動する。このため、補助ばね部材３０はほぼ一定のばね力を保った状態で、ばね力がほとんど変化しない。
【００６８】
これにより、操作部材１２の回転に応じて可動車２８の第２凹凸部３２の山部３２ｂが固定車２９の第１凹凸部３１の山部３１ｂを乗り越えると共に、固定車２９の第１凹凸部３１の山部３１ｂが可動車２８の第２凹凸部３２の山部３２ｂを相対的に乗り越える。このときには、操作部材１２の軸部１７が腕時計ケース１の外部に向けて押し出されるので、補助ばね部材３０はそのばね力がほとんど変化せずに、弾性部材２７が圧縮変形するので、操作部材１２の頭部１６の回転力が重くなる。
【００６９】
そして、可動車２８の第２凹凸部３２の山部３２ｂが固定車２９の第１凹凸部３１の山部３１ｂを乗り越えて隣接する第１凹凸部３１の溝部３１ａに係合すると共に、固定車２９の第１凹凸部３１の山部３１ｂが可動車２８の第２凹凸部３２の山部３２ｂを相対的に乗り越えて隣接する第２凹凸部３２の溝部３２ａに係合する。
【００７０】
このときには、圧縮されている弾性部材２７が膨張するように弾性復帰するので、操作部材１２の頭部１６の回転力が急激に軽くなり、操作部材１２の軸部１７が腕時計ケース１の内部に向けて押し込まれる。このため、可動車２８の第２凹凸部３２と固定車２９の第１凹凸部３１との噛み合いがずれるときには、補助ばね部材３０がほぼ一定のばね力を保った状態で、ばね力がほとんど変化せずに、弾性部材２７が膨張するように弾性復帰する。このため、弾性部材２７の弾性変形によってクリック感が操作部材１２の操作感として付与される。
【００７１】
このように、操作部材１２の頭部１６を回転させて内転リング１１を回転させる際には、頭部１６を１５度回転させて駆動歯車１３を１５度回転させると、これに伴って内転リング１１が１５度回転する。これにより、内転リング１１の回転表示板２６が目盛マーク２６ｂの１目盛だけ回転して、目盛マーク２６ｂが１目盛ずれると共に、この目盛マーク２６ｂが１目盛ずれる毎に、第２凹凸部３２と第１凹凸部３１との噛み合い動作によってクリック感が操作部材１２の操作感として付与される。
【００７２】
このため、内転リング１１の回転表示板２６を視認しなくても、内転リング１１の回転量および回転位置を、第２凹凸部３２と第１凹凸部３１との噛み合い動作によるクリック感である操作部材１２の操作感によって確認することができる。これにより、内転リング１１の回転表示板２６に表示された方位の目盛マーク２６ｂを正確にかつ良好に選択して指定することができる。
【００７３】
次に、この回転操作装置１０を押釦スイッチとして使用する場合について説明する。
この場合には、通常状態のときに、補助ばね部材３０が可動車２８を固定車２９に押し付けた状態で、弾性部材２７の弾性力によって操作部材１２の軸部１７が腕時計ケース１の内部に向けて押し込まれている。この状態では、操作部材１２の軸部１７の内端部が時計モジュール６のスイッチ接点６ａに接触せずに接近している。このため、スイッチ接点６ａがオフ状態になっている。
【００７４】
この状態で、操作部材１２の頭部１６を補助ばね部材３０のばね力に抗して腕時計ケース１の内部に向けて押し込むと、補助ばね部材３０が固定車２９に押し付けられた可動車２８と頭部１６との間で圧縮される。このため、操作部材１２の軸部１７が腕時計ケース１の内部に向けてスライドし、このスライドした軸部１７の内端部が時計モジュール６のスイッチ接点６ａを押圧してオン状態にする。
【００７５】
このように、この腕時計の回転操作装置１０によれば、腕時計ケース１の外部に位置する頭部１６およびこの頭部１６に連設されて腕時計ケース１の円筒部材１５内に挿入された軸部１７を備えた操作部材１２と、この操作部材と共に回転する駆動歯車１３と、この駆動歯車１３によって回転移動する内転リング１１と、第１凹凸部３１が設けられた固定車２９と、第２凹凸部３２が設けられて操作部材１２と共に回転する可動車２８と、操作部材１２を腕時計ケース１の内部側に向けて付勢する弾性部材２７と、を備え、操作部材１２を回転操作した際に、弾性部材２７の付勢力に抗して第１凹凸部３１と第２凹凸部３２との噛み合いがずれると同時に、操作部材１２が可動車２８と共に軸方向にスライドすることにより、操作部材１２の回転操作に応じた操作感を確実に得ることができ、かつ小型化を図ることができる。
【００７６】
すなわち、この腕時計の回転操作装置１０では、操作部材１２の頭部１６を回転させて、駆動歯車１３が内転リング１１を腕時計ケース１の内周面に沿って回転移動させる際に、弾性部材２７の弾性力に抗して固定車２９の第１凹凸部３１と可動車２８の第２凹凸部３２とを係脱可能に噛み合わせることができると共に、第１凹凸部３１と第２凹凸部３２との噛み合いがずれるときに、操作部材１２を可動車２８と共に軸方向にスライドさせることができるので、クリック感を操作部材１２の操作感として確実に付与することができる。これにより、内転リング１１の回転位置を視認しなくても、操作部材１２の操作感によって内転リング１１の回転量および回転位置を確認することができる。
【００７７】
また、この回転操作装置１０では、固定車２９の第１凹凸部３１と可動車２８の第２凹凸部３２との噛み合い深さ、つまり第１凹凸部３１と第２凹凸部３２との各凹凸の深さが浅くても、操作部材１２を軸方向に確実にスライドさせてクリック感を操作部材１２の操作感として良好に付与させることができるので、固定車２９と可動車２８との各外径および操作部材１２の軸部１７の外径を小さく形成することができる。このため、円筒部材１５の大径筒部１５ｂおよび操作部材１２の頭部１６の各外径を小さくすることができるので、装置全体の小型化を図ることができる。
【００７８】
この場合、この回転操作装置１０では、操作部材１２を腕時計ケース１の内部側に向けて付勢して固定車２９の第１凹凸部３１と可動車２８の第２凹凸部３２とを弾力的に噛み合わせるリング状の弾性部材２７を備えているので、操作部材１２の頭部１６を回転操作した際に、固定車２９の第１凹凸部３１と可動車２８の第２凹凸部３２との噛み合い深さ、つまり第１凹凸部３１と第２凹凸部３２との各凹凸の深さが浅くても、操作部材１２を軸方向に確実にスライドさせることができ、これにより固定車２９と可動車２８との各外径を小さく形成しても、クリック感を操作部材１２の操作感として確実に付与することができる。
【００７９】
すなわち、この回転操作装置１０では、固定車２９の第１凹凸部３１と可動車２８の第２凹凸部３２との噛み合いがずれるときに、弾性部材２７が圧縮変形して操作部材１２を腕時計ケース１の外部に向けて押し出すことができると共に、第１凹凸部３１と第２凹凸部３２との噛み合いがずれたときに、圧縮された弾性部材２７が膨張するように弾性変形して操作部材１２を腕時計ケース１の内部に向けて押し込むことができる。このため、固定車２９の第１凹凸部３１と可動車２８の第２凹凸部３２との噛み合いがずれるときに、操作部材１２を腕時計ケース１の出没方向に確実にスライドさせることができる。
【００８０】
この場合、弾性部材２７は、駆動歯車１３と円筒部材１５の内端部との間に位置する操作部材１２の軸部１７の外周に配置されて、駆動歯車１３と円筒部材１５の内端部とを押し広げる方向に付勢していることにより、駆動歯車１３と円筒部材１５の内端部との間で弾性部材２７を伸縮変形させることができる。これにより、操作部材１２を腕時計ケース１の出没方向に確実にスライドさせることができると共に、弾性部材２７をコンパクトに組み込むことができるので、これによっても回転操作装置１０全体の小型化を図ることができる。
【００８１】
また、この回転操作装置１０では、可動車２８が操作部材１２の軸部１７にスライド可能に設けられ、補助ばね部材３０によって固定車２９に弾力的に押し付けられ、この状態で可動車２８が操作部材１２と共に回転しながら軸方向に移動することにより、可動車２８を操作部材１２の軸部１７にスライド可能に取り付けても、固定車２９の第１凹凸部３１と可動車２８の第２凹凸部３２との噛み合いがずれるときに、可動車２８を操作部材１２と共に軸方向にスライドさせることができるので、クリック感を操作部材１２の操作感として良好に付与することができる。
【００８２】
この場合、補助ばね部材３０は、そのばね力が弾性部材２７の弾性力がよりも小さく設定されていることにより、固定車２９の第１凹凸部３１と可動車２８の第２凹凸部３２との噛み合いがずれるときに、弾性部材２７の弾性力による操作部材１２のスライド動作を補助ばね部材３０が妨げることがなく、操作部材１２を可動車２８と共に軸方向に良好にスライドさせることができる。
【００８３】
すなわち、この補助ばね部材３０は、固定車２９の第１凹凸部３１と可動車２８の第２凹凸部３２との噛み合いがずれるときに、操作部材１２が可動車２８と共に軸方向にスライドすることにより、操作部材１２と可動車２８とのスライドに伴って、補助ばね部材３０も一体的に軸方向に移動するので、補助ばね部材３０がほぼ一定のばね力を保った状態でばね力がほとんど変化しない。このため、弾性部材２７の弾性力による操作部材１２のスライド動作を補助ばね部材３０が妨げることがない。
【００８４】
また、この回転操作装置１０では、補助ばね部材３０によって可動車２８が固定車２９に弾力的に押し付けられていることにより、可動車２８を操作部材１２の軸部１７にスライド可能に取り付けることができるので、弾性部材２７が自然な形状に膨張した通常状態のときに、操作部材１２の頭部１６を補助ばね部材３０のばね力によって腕時計ケース１の外部に向けて押し出して、操作部材１２を通常状態の初期位置に規制することができる。
【００８５】
このため、この回転操作装置１０では、腕時計ケース１内の時計モジュール６に設けられたスイッチ接点６ａをオフ状態にさせることができるので、押釦スイッチとして使用することができる。すなわち、スイッチ接点６ａがオフ状態のときに、操作部材１２の頭部１６を補助ばね部材３０のばね力に抗して押圧すると、補助ばね部材３０が圧縮して操作部材１２の軸部１７を腕時計ケース１の内部に向けてスライドさせることができるので、軸部１７の内端部で時計モジュール６のスイッチ接点６ａを押圧させてオン動作させることができる。
【００８６】
さらに、この回転操作装置１０では、固定車２９の第１凹凸部３１と可動車２８の第２凹凸部３２とが内転リング１１の回転角度と関連する角度で設けられていることにより、操作部材１２の頭部１６を回転させて内転リング１１を回転させる際に、頭部１６を所定角度回転させると、これに連動して駆動歯車１３が内転リング１１を所定角度回転させることができると共に、内転リング１１が所定角度回転する毎に、第１凹凸部３１と第２凹凸部３２との噛み合い動作によるクリック感を、操作部材１２に確実にかつ良好に操作感として付与することができる。
【００８７】
すなわち、この回転操作装置１０では、第１凹凸部３１と第２凹凸部３２との各凹凸部が、予め定められた角度で等間隔に設けられていることにより、操作部材１２の頭部１６を第１凹凸部３１と第２凹凸部３２との各角度と同じ角度で回転させると、弾性部材２７の弾性力によって第１凹凸部３１と第２凹凸部３２とを係脱可能に噛み合わせることができ、これにより操作部材１２の頭部１６を第１凹凸部３１と第２凹凸部３２との各角度と同じ角度で回転させる毎に、クリック感を操作部材１２に操作感として付与することができる。
【００８８】
この場合、第１凹凸部３１と第２凹凸部３２とは、それぞれ複数の溝部３１ａ、３２ａと複数の山部３１ｂ、３２ｂとを有し、これらが１５度の角度間隔で交互に放射状に配列されていることにより、補助ばね部材３０のばね力によって互いに押し付けられた際に、第２凹凸部３２の山部３２ｂを第１凹凸部３１の溝部３１ａに確実にかつ良好に噛み合わせることができると共に、第１凹凸部３１の山部３１ｂを第２凹凸部３２の溝部３２ａに確実にかつ良好に噛み合わせることができる。
【００８９】
また、これら第１凹凸部３１と第２凹凸部３２とは、可動車２８が操作部材１２と共に１５度回転する際に、弾性部材２７の弾性力に抗して第２凹凸部３２の山部３２ｂが第１凹凸部３１の山部３１ｂを乗り越えた後に、隣接する第１凹凸部３１の溝部３１ａに第２凹凸部３２の山部３２ｂを噛み合わせることができると共に、第１凹凸部３１の山部３１ｂが第２凹凸部３２の山部３２ｂを相対的に乗り越えた後に、隣接する第２凹凸部３２の溝部３２ａに第１凹凸部３１の山部３１ｂを噛み合わせることができる。
【００９０】
このため、第１凹凸部３１と第２凹凸部３２とは、第２凹凸部３２の山部３２ｂが第１凹凸部３１の山部３１ｂを乗り越えて隣接する溝部３１ａに係合すると共に、第１凹凸部３１の山部３１ｂが第２凹凸部３２の山部３２ｂを相対的に乗り越えて隣接する溝部３２ａに係合する際に、補助ばね部材３０がほぼ一定のばね力を保った状態でばね力がほとんど変化せずに、弾性部材２７の弾性力によってクリック感を確実にかつ良好に操作部材１２に操作感として付与することができる。
【００９１】
これにより、この回転操作装置１０では、操作部材１２の頭部１６を回転させて、駆動歯車１３が内転リング１１を回転させる際に、頭部１６を１５度回転させると、これに伴って内転リング１１を１５度回転させることができ、この内転リング１１の回転表示板２６を目盛マーク２６ｂの１目盛だけ回転させ、この目盛マーク２６ｂを確実にかつ良好に１目盛ずらすことができる。
【００９２】
また、この回転操作装置１０では、頭部１６を１５度ずつ回転させて、駆動歯車１３が内転リング１１を１５度ずつ回転させ、この内転リング１１の目盛マーク２６ｂが１目盛ずれる毎に、第１凹凸部３１と第２凹凸部３２との噛み合い動作によるクリック感を、操作部材１２に確実にかつ良好に操作感として付与することができ、これにより内転リング１１の回転位置を視認しなくても、操作部材１２の操作感によって内転リング１１の回転量および回転位置を確認することができる。
【００９３】
（第２実施形態）
次に、図７を参照して、この発明を腕時計に適用した第２実施形態について説明する。なお、図１〜図６に示された第１実施形態と同一部分には同一符号を付して説明する。
この腕時計の回転操作装置１０は、図７に示すように、操作部材１２の軸部１７に可動車２８を固定部材４０によって固定した構造であり、これ以外は第１実施形態と同じ構成になっている。
【００９４】
すなわち、固定部材４０は、図７に示すように、ピン状部材であり、可動車２８と操作部材１２の軸部１７とに貫通して設けられた取付孔４１に挿入されている。これにより、固定部材４０は、操作部材１２の軸部１７に可動車２８を取り付けることにより、操作部材１２の回転操作に応じて可動車２８を回転させると共に、操作部材１２のスライド動作に応じて可動車２８を一体的にスライドさせるように構成されている。
【００９５】
このため、この操作部材１２は、図７に示すように、弾性部材２７が自然な形状に膨張して腕時計ケース１の内部に向けて付勢された際に、可動車２８を腕時計ケース１の内部に向けてスライドさせることにより、可動車２８を固定車２９に押し付けて、可動車２８の第２凹凸部３２を固定車２９の第１凹凸部３１に噛み合わせるように構成されている。
【００９６】
また、この操作部材１２は、図７に示すように、弾性部材２７の弾性力に抗して頭部１６を回転させて、第１凹凸部３１と第２凹凸部３２との各山部３１ｂ、３２ｂが第２凹凸部３２と第１凹凸部３１との各山部３２ｂ、３１ｂを乗り越えるときに、弾性部材２７を圧縮変形させて腕時計ケース１の外部に向けて押し出される方向に可動車２８と共にスライドすることにより、頭部１６の回転力が重くなるように構成されている。
【００９７】
また、この操作部材１２は、図７に示すように、第１凹凸部３１と第２凹凸部３２との各山部３１ｂ、３２ｂが第２凹凸部３２と第１凹凸部３１との各山部３２ｂ、３１ｂを乗り越えて隣接する溝部３２ａ、３１ａに係合するときに、圧縮された弾性部材２７が膨張するように弾性復帰して腕時計ケース１の内部に向けて押し込む方向に可動車２８と共にスライドすることにより、頭部１６の回転力が急激に軽くなり、クリック感が操作感として付与されるように構成されている。
【００９８】
これにより、この回転操作装置１０は、第１実施形態と同様、操作部材１２の頭部１６を回転させて内転リング１１を回転させる際に、頭部１６を１５度回転させて駆動歯車１３を１５度回転させると、これに伴って内転リング１１が１５度回転し、この内転リング１１の回転表示板２６が目盛マーク２６ｂの１目盛だけ回転し、目盛マーク２６ｂが１目盛ずれると共に、この目盛マーク２６ｂが１目盛ずれる毎にクリック感が操作部材１２に操作感として付与されるように構成されている。
【００９９】
また、この回転操作装置１０は、第１実施形態と同様、通常状態のときに、弾性部材２７の弾性力によって可動車２８を固定車２９に押し付けた状態で、操作部材１２の軸部１７が腕時計ケース１の内部に向けて押し込まれている。このため、この回転操作装置１０は、通常状態のときに、弾性部材２７の弾性力によって可動車２８が固定車２９に押し付けられているので、操作部材１２の軸部１７が腕時計ケース１の内部に向けて押し込まれることがなく、押釦スイッチとしての機能を持っていない。
【０１００】
次に、この腕時計における回転操作装置１０の作用について説明する。
通常は、第１実施形態と同様、操作部材１２の軸部１７に取り付けられた駆動歯車１３が腕時計ケース１内の内転リング１１のラック２４に噛み合っている。また、この状態では、操作部材１２が、弾性部材２７の弾性力によって腕時計ケース１の内部に向けて押し込まれる方向に付勢されている。
【０１０１】
このため、可動車２８は、弾性部材２７の弾性力によって操作部材１２の軸部１７と共に腕時計ケース１の内部に向けて押し込まれ、固定車２９に押し付けられている。これにより、可動車２８の第２凹凸部３２と固定車２９の第１凹凸部３１とが噛み合った状態になっている。このため、この回転操作装置１０は、押釦スイッチとしての機能を持っていない。
【０１０２】
この状態で、腕時計ケース１内の内転リング１１を回転させて、内転リング１１の回転表示板２６に表示された方位の目盛マーク２６ｂを選択して指定する場合には、第１実施形態と同様、弾性部材２７の弾性力に抗して、操作部材１２の頭部１６を回転操作させる。すると、操作部材１２の軸部１７が回転し、この軸部１７の回転に伴って駆動歯車１３が回転し、この駆動歯車１３の回転に応じて内転リング１１が腕時計ケース１の内周面に沿って回転移動する。
【０１０３】
このように、操作部材１２の頭部１６が回転する際には、第１実施形態と同様、固定車２９が円筒部材１５の大径筒部１５ｂ内に固定された状態で、可動車２８が操作部材１２の軸部１７と共に回転する。このときには、可動車２８の第２凹凸部３２の山部３２ｂが固定車２９の第１凹凸部３１の山部３１ｂを乗り越えるので、可動車２８が操作部材１２と共にその軸方向にスライドして、弾性部材２７を圧縮変形させる。このため、操作部材１２の頭部１６の回転力が重くなる。
【０１０４】
そして、可動車２８の第２凹凸部３２の山部３２ｂが固定車２９の第１凹凸部３１の山部３１ｂを乗り越えて隣接する第１凹凸部３１の溝部３１ａに噛み合うと共に、固定車２９の第１凹凸部３１の山部３１ｂが可動車２８の第２凹凸部３２の山部３２ｂを相対的に乗り越えて隣接する第２凹凸部３２の溝部３２ａに噛み合う。
【０１０５】
このときには、圧縮されている弾性部材２７が膨張するように弾性復帰するので、操作部材１２の軸部１７が可動車２８と共に腕時計ケース１の内部に向けてスライドする。このため、可動車２８の第２凹凸部３２と固定車２９の第１凹凸部３１との噛み合いがずれることにより、操作部材１２の頭部１６の回転力が急激に軽くなり、弾性部材２７の弾性力によってクリック感が操作部材１２の操作感として付与される。
【０１０６】
このように、操作部材１２の頭部１６を回転させて内転リング１１を回転させる際には、第１実施形態と同様、頭部１６を１５度回転させて駆動歯車１３を１５度回転させると、これに伴って内転リング１１が１５度回転する。すると、この内転リング１１の回転表示板２６が目盛マーク２６ｂの１目盛だけ回転して、目盛マーク２６ｂが１目盛ずれると共に、この目盛マーク２６ｂが１目盛ずれる毎に、第１凹凸部３１と第２凹凸部３２との噛み合い動作によってクリック感が操作部材１２の操作感として付与される。
【０１０７】
これにより、第１実施形態と同様、内転リング１１の回転表示板２６を視認しなくても、内転リング１１の回転量および回転位置を、第１凹凸部３１と第２凹凸部３２との噛み合い動作によるクリック感である操作部材１２の操作感によって確認することができる。このため、内転リング１１の回転表示板２６に表示された方位の目盛マーク２６ｂを正確にかつ良好に選択して指定することができる。
【０１０８】
このように、この腕時計の回転操作装置１０によれば、第１実施形態と同様、操作部材１２の頭部１６を回転させて、駆動歯車１３が内転リング１１を回転移動させる際に、弾性部材２７の弾性力に抗して固定車２９の第１凹凸部３１と可動車２８の第２凹凸部３２とを係脱可能に噛み合せることができると共に、第１凹凸部３１と第２凹凸部３２との噛み合いがずれるときに、操作部材１２を軸方向にスライドさせることができるので、クリック感を操作部材１２の操作感として確実に付与することができる。これにより、内転リング１１の回転位置を視認しなくても、操作部材１２の操作感によって内転リング１１の回転量および回転位置を確認することができる。
【０１０９】
また、この回転操作装置１０では、第１実施形態と同様、固定車２９の第１凹凸部３１と可動車２８の第２凹凸部３２との噛み合い深さ、つまり第１凹凸部３１と第２凹凸部３２との各凹凸の深さが浅くても、操作部材１２を軸方向に確実にスライドさせてクリック感を操作部材１２の操作感として良好に付与させることができるので、固定車２９と可動車２８との各外径を小さく形成することができる。このため、円筒部材１５の大径筒部１５ｂおよび操作部材１２の頭部１６の各外径を小さくすることができるので、装置全体の小型化を図ることができる。
【０１１０】
この場合、この回転操作装置１０では、可動車２８が操作部材１２の軸部１７に固定部材４０によって固定され、この状態で可動車２８が操作部材１２と共に回転しながら軸方向に移動することにより、可動車２８を操作部材１２の軸部１７に固定部材４０で固定させても、固定車２９の第１凹凸部３１と可動車２８の第２凹凸部３２との噛み合いがずれるときに、弾性部材２７の弾性力に抗して可動車２８を操作部材１２と共に軸方向にスライドさせることができるので、クリック感を操作部材１２の操作感として良好に付与することができる。
【０１１１】
なお、前述した第１、第２の実施形態では、操作部材１２を腕時計ケース１の内部に向けて付勢する付勢部材として、リング状の弾性部材２７を用いた場合について述べたが、この発明はこれに限らず、皿状の板ばねを用いても良い。
【０１１２】
また、前述した第１、第２の実施形態では、付勢部材である弾性部材２７を駆動歯車１３と円筒部材１５の内端部との間に設けた場合について述べたが、この発明はこれに限らず、例えば、弾性部材２７を駆動歯車１３と抜止め部材２１との間に設け、この弾性部材２７の弾性力によって駆動歯車１３と抜止め部材２１とを押し広げる方向に付勢するようにしても良い。
【０１１３】
また、前述した第１、第２の実施形態では、内転リング１１の回転表示板２６に方位を示す目盛マーク２６ｂが表示された構成である場合について述べたが、この発明はこれに限らず、例えば、世界の各都市名が表示されたワールドタイム用の都市名回転板、または時間計測の目盛が表示された計測回転板、あるいは目盛機能を有しない回転板などであっても良い。
【０１１４】
また、前述した第１、第２の実施形態では、第１凹凸部３１と第２凹凸部３２とを１５度の角度間隔で互いに係合するように構成した場合について述べたが、この発明はこれに限らず、例えば１度〜３６０度のうちの整数の角度でも良く、また３６０度の約数の角度であっても良い。要は、内転リング１１の表示目盛と関連する角度であれば、必ずしも整数である必要はなく、小数点を含む角度であっても良い。
【０１１５】
また、前述した第１、第２の実施形態では、第１凹凸部３１と第２凹凸部３２との両方に、複数の溝部と複数の山部とを設けた場合について述べたが、この発明はこれに限らず、例えば第１凹凸部３１と第２凹凸部３２とのうち、いずれか一方に複数の溝部と複数の山部とを１５度または９０度の角度間隔で設け、他方には基準となる１つの山部およびその両側の溝部のみを設けた構成であっても良い。
【０１１６】
さらに、前述した第１、第２の実施形態では、第１凹凸部３１と第２凹凸部３２とを複数の溝部と複数の山部とで構成した場合について述べたが、この発明はこれに限らず、例えば可動車２８と固定車２９とのそれぞれ１箇所の基準位置のみに溝部と山部とを設けた構成であっても良い。
【０１１７】
また、前述した第１、第２の実施形態では、第１凹凸部３１を円筒部材１５内に固定される固定車２９に設けた場合について述べたが、この発明はこれに限らず、例えば円筒部材１５の大径筒部１５ｂにおける内部の側面に直接第１凹凸部を形成した構成であっても良い。
【０１１８】
また、前述した第１、第２の実施形態では、操作部材１２の頭部１６を１回転させた際に、内転リング１１が１回転するように構成されている場合について述べたが、この発明はこれに限らず、例えば操作部材１２の頭部１６を複数回転（例えば２回転以上）させた際、または頭部１６を１回転以下（例えば半回転、１／４回転）で回転させた際に、内転リング１１が１回転するように構成しても良い。
【０１１９】
さらに、前述した第１、第２の実施形態およびその各変形例では、腕時計に適用した場合について述べたが、この発明は必ずしも腕時計である必要はなく、例えばトラベルウオッチ、目覚まし時計、置き時計、掛け時計などの各種の時計に適用することができる。また、この発明は、必ずしも時計である必要はなく、携帯電話機、携帯端末機などの電子機器にも適用することができる。
【０１２０】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【０１２１】
（付記）
請求項１に記載の発明は、ケースの貫通孔に固定された円筒部材と、前記ケースの外部に位置する頭部および前記頭部に連設されて前記円筒部材内に挿入された軸部を備えた操作部材と、前記ケースの内部に位置する前記操作部材の前記軸部の端部に取り付けられて前記操作部材と共に回転する連結部と、前記円筒部材内に固定され、軸方向の一面に第１の凹凸部が設けられた固定車と、前記円筒部材内に配置されて前記操作部材と共に回転し、かつ前記固定車の前記第１の凹凸部に噛み合う第２の凹凸部を備えた可動車と、前記操作部材を前記ケースの内部側に向けて付勢して前記固定車の前記第１の凹凸部に前記可動車の前記第２の凹凸部を弾力的に噛み合わせる付勢部材と、を備えていることを特徴とする回転操作装置である。
【０１２２】
請求項２に記載の発明は、請求項１に記載の回転操作装置において、前記付勢部材は、リング状の弾性部材であって、前記弾性部材の内径は、前記軸部の外径とほぼ同じ又は前記軸部の外径よりも大きいことを特徴とする回転操作装置である。
【０１２３】
請求項３に記載の発明は、請求項１または請求項２に記載の回転操作装置において、前記付勢部材は、前記連結部と前記円筒部材の内端部との間に位置する前記操作部材の前記軸部の外周に配置されて、前記連結部と前記円筒部材の内端部とを押し広げる方向に付勢することを特徴とする回転操作装置である。
【０１２４】
請求項４に記載の発明は、請求項１〜請求項３のいずれかに記載の回転操作装置において、前記可動車は、前記操作部材の前記軸部にスライド可能に設けられ、ばね部材によって前記固定車に弾力的に押し付けられ、この状態で前記操作部材と共に回転しながら軸方向に移動し、前記頭部を押圧して前記軸部をスライドすることで押釦スイッチとして機能することを特徴とする回転操作装置である。
【０１２５】
請求項５に記載の発明は、請求項４に記載の回転操作装置において、前記ばね部材は、そのばね力が前記付勢部材の付勢力よりも小さく設定されていることを特徴とする回転操作装置である。
【０１２６】
請求項６に記載の発明は、請求項１〜請求項３のいずれかに記載の回転操作装置において、前記可動車は、前記操作部材の前記軸部に固定され、この状態で前記操作部材と共に回転しながら軸方向に移動することを特徴とする回転操作装置である。
【０１２７】
請求項７に記載の発明は、請求項１〜請求項６のいずれかに記載の回転操作装置において、前記固定車の前記第１の凹凸部と前記可動車の前記第２の凹凸部とは、前記連結部の回転角度と関連する角度で設けられていることを特徴とする回転操作装置である。
【０１２８】
請求項８に記載の発明は、請求項１〜請求項７のいずれかに記載された回転操作装置を備えていることを特徴とする時計である。
【符号の説明】
【０１２９】
１  腕時計ケース
１ａ  貫通孔
６  時計モジュール
６ａ  スイッチ接点
１０  回転操作装置
１１  内転リング
１２  操作部材
１３  駆動歯車
１５  円筒部材
１６  頭部
１７  軸部
２４  ラック
２６  回転表示板
２６ａ  斜面
２６ｂ  目盛マーク
２７  弾性部材
２８  可動車
２９  固定車
３０  補助ばね部材
３１  第１凹凸部
３２  第２凹凸部
３１ａ、３２ａ  溝部
３１ｂ、３２ｂ  山部
４０  固定部材
【図１】
2018197718.tif 000003
【図２】
2018197718.tif 000004
【図３】
2018197718.tif 000005
【図４】
2018197718.tif 000006
【図５】
2018197718.tif 000007
【図６】
2018197718.tif 000008
【図７】
2018197718.tif 000009